(57)【特許請求の範囲】
【請求項１】
躯体に形成される空間を、表裏一対の面板と、これら面板間に介装されるコア材とで構成されるパネル体を用いて仕切るにあたり、下端が床面に固定され、上端が笠木を介して躯体に支持される支持柱を設けて、パネル体の側縁部を支持柱に形成したパネル体支持部により外嵌状に支持し、パネル体の上縁部を笠木により外嵌状に支持し、パネル体の下縁部を支持柱に支持される下枠材により外嵌状に支持する構成として、パネル体の四周縁部を支持柱、笠木、下枠材により覆蓋する構成にすると共に、支持柱と笠木の躯体側壁への固定は、垂直状の第一側片が側壁に螺着されたＬ字形の連結金具の水平状の第二側片の下面と該支持柱の上端部とを対向させた直立姿勢とした状態で笠木を上側から外嵌し、笠木、連結金具第二側片同士、および笠木、支持柱同士をそれぞれ螺着することで固定するように構成したことを特徴とする仕切り用のパネル体の躯体への支持構造。
【請求項２】
支持柱は、パネル体支持部に対向してエッジ部材を支持するエッジ部材支持部が形成されるものとし、パネル体支持部とエッジ部材支持部とを同形状に形成して、パネル体とエッジ部材との何れかを支持するように構成したことを特徴とする請求項１に記載の仕切り用のパネル体の躯体への支持構造。
【発明の詳細な説明】
【技術分野】
【０００１】
本発明は、公共施設におけるトイレブース等に用いられる仕切り用のパネル体の躯体への支持構造の技術分野に属するものである。
【背景技術】
【０００２】
一般に、病院やデパート等の大型施設では、側壁を備えて構成される広いスペースを、躯体を構成する側壁や床面に固定される複数のパネル体により仕切り、複数の小さい空間を形成する一方、これら仕切られた空間に、それぞれドア体を開閉自在に設けることにより、出入り自在な複数のトイレブースに構成することがある。このようなトイレブースに用いられるパネル体を、表裏一対の面板と、これら面板のあいだに介装される例えば紙製のコア材（ペーパーコア材）とにより構成した場合では、パネル体の切断面にコア材が露出して意匠的にも機能的にも問題があるうえ、隣接するパネル体同士のあいだにドア体を開閉揺動自在に取り付けるため、各切断面に金属製のエッジ部材を取り付けている。
【０００３】
前記金属製のエッジ部材をパネル体切断面に固定する手法としては、例えば、パネル体の四周を木製の枠材で枠組みし、該枠材に対してエッジ部材を螺子止めにより固定する構成とすることが提唱されている。
【特許文献１】特開平８−３５２７２号公報
【発明の開示】
【発明が解決しようとする課題】
【０００４】
しかるに、前記従来のもののように、パネル体の四周に枠組みされた枠材が設けられるものでは重量化するだけでなく、コストアップするという問題がある。さらに、トイレブースの設置箇所に応じて、それぞれパネル体のサイズやエッジ部材の取り付け状態の仕様が異なり、従来では、予め工場において設置現場の仕様に沿って枠材を枠組みし、該枠材に、適宜切断した表裏面板とコア材とを組み込んだ後、枠材に対し設置現場の取り付け仕様に応じたエッジ部材の取り付けの各作業を行い、これらエッジ部材付きのパネル体を設置現場に搬入するようにしている。このため、工場では、仕様に合わせたエッジ部材付きのパネル体を各現場毎にそれぞれ用意することになり、在庫管理が難しくなるため、受注から発送までの時間が長くなってしまうという問題があるうえ、枠材やエッジ部材により重量化したパネル体を搬送する作業がやりにくいという問題もある。
さらに、従来のものでは、設置現場でトイレブースを組み立てる場合に、それぞれの箇所に応じて予め用意されたエッジ部材付きのパネル体を、空間の所定の箇所に位置決めし、各パネル体の下端部を床面に固定支持せしめ、その後、各パネル体の上端部を、躯体側壁に支持される笠木により連結することにより、躯体に一体固定している。このため、各パネル体を予め設定される箇所に選択して配置する作業が面倒なうえ、パネル体を一枚、一枚個別に組み立てる作業が煩雑であるという問題があるばかりでなく、設置現場で生じる寸法誤差等による設計変更に対応しにくく、熟練した作業が必要になる等の問題もあり、これらに本発明の解決すべき課題がある。
【課題を解決するための手段】
【０００５】
本発明は、上記の如き実情に鑑みこれらの課題を解決することを目的として創作されたものであって、請求項１の発明は、躯体に形成される空間を、表裏一対の面板と、これら面板間に介装されるコア材とで構成されるパネル体を用いて仕切るにあたり、下端が床面に固定され、上端が笠木を介して躯体に支持される支持柱を設けて、パネル体の側縁部を支持柱に形成したパネル体支持部により外嵌状に支持し、パネル体の上縁部を笠木により外嵌状に支持し、パネル体の下縁部を支持柱に支持される下枠材により外嵌状に支持する構成として、パネル体の四周縁部を支持柱、笠木、下枠材により覆蓋する構成にすると共に、支持柱と笠木の躯体側壁への固定は、垂直状の第一側片が側壁に螺着されたＬ字形の連結金具の水平状の第二側片の下面と該支持柱の上端部とを対向させた直立姿勢とした状態で笠木を上側から外嵌し、笠木、連結金具第二側片同士、および笠木、支持柱同士をそれぞれ螺着することで固定するように構成したことを特徴とする仕切り用のパネル体の躯体への支持構造である。
請求項２の発明は、支持柱は、パネル体支持部に対向してエッジ部材を支持するエッジ部材支持部が形成されるものとし、パネル体支持部とエッジ部材支持部とを同形状に形成して、パネル体とエッジ部材との何れかを支持するように構成したことを特徴とする請求項１に記載の仕切り用のパネル体の躯体への支持構造である。
【発明の効果】
【０００６】
請求項１の発明とすることにより、組み込み作業の作業性が向上するうえ、在庫管理、工場から設置現場への搬送作業が容易になるうえ、パネル体の軽量化が図れて、作業性が向上するうえ、コストダウンが期待でき、さらには、精度よい組み付けを実現できるとともに、現場での設計変更に容易に対応できる。
請求項２の発明とすることにより、部材の共通化が図れて、構造の簡略化、現場での作業性の向上を図れる。
【発明を実施するための最良の形態】
【０００７】
つぎに、本発明の実施の形態について、図面に基づいて説明する。
図面において、１は広い空間を構成する躯体に相当する左右方向に長い左右側壁であり、該左右側壁１に対し、空間を構成する躯体に相当する前後方向を向く前後側壁２が直交状に設けられている。そして、左右側壁１に沿い、所定間隙を存して複数の第一パネル体３が配設され、これら各第一パネル体３と左右側壁１とのあいだを直交状に仕切るべく前後方向を向く第二パネル体４を配設し、さらに、隣接する第一パネル体３の対向する左右端部同士のあいだに形成される間隙に、開閉自在なドア体５を設けることにより、複数のトイレブースＢが左右方向に隣接する状態で形成されている。
【０００８】
前記各パネル体３、４は、一対の表裏面板３ａ、４ａと、これら表裏面板３ａ、４ａのあいだに介装されるペーパーコア材３ｂ、４ｂとにより構成されており、設置現場のレイアウトに基づいて設定された寸法に切断された切断面には、ペーパーコア材３ｂ、４ｂが露出したままの状態となっている。
尚、ドア体５は、前記各パネル体３、４と同様に、一対の表裏面板５ａ間にペーパーコア材５ｂが介装されたものを用いて構成されるが、ドア体５は、表裏面板５ａ同士のあいだの四周に、木製の枠材５ｃが一体的に設けられており、該枠材５ｃのうち左右側縁部の枠材５ｃに対し、左右のドア体用エッジ部材５ｄが螺子５ｅを用いて螺着されており、該構成は、従来通りである。
【０００９】
そして、前記第一、第二パネル体３、４の上下方向を向く左右あるいは前後の側縁部は、本発明が実施された支持柱６、あるいは、図３において、右端側に配されるコーナー用の支持柱７により嵌合支持されるように構成されており、これによって、第一、第二パネル体３、４側縁部の枠材が不要になるように構成されている。
前記支持柱６は、アルミ押出し型材で構成されており、角形の筒孔を有して（角筒状に）形成されており、第一、第二パネル体３、４のパネル面に平行となる一対の短片６ａと、第一、第二パネル体３、４の板厚方向に平行となり第一、第二パネル体３、４側縁部の切断面が突き当てられる一対の長片６ｂとを備えて構成されている。そして、前記各長片６ｂには、短片６ａから延出される状態で一対の突片６ｃが一体形成されており、これら一対の突片６ｃが本発明のパネル体支持部として第一、第二パネル体３、４側縁部を嵌合支持するように構成されている。また、支持柱６の短片６ａ同士のそれぞれ対向する内側面には、ビスポケット６ｄが一体形成されている。
【００１０】
一方、コーナー用支持柱７は、第一、第二パネル体３、４側縁部の切断面が突き当てられる長片７ａが直交状に形成され、これら長片７ａのあいだをＲ状片７ｂにより連結することにより筒状に形成されている。そして、各長片７ａには、第一、第二パネル体３、４側縁部を嵌合支持するための一対の突片７ｃがそれぞれ形成されている。
そして、第一、第二パネル体３、４側縁部は、切断面を支持柱６またはコーナー用支持柱７の長片６ｂ、７ａに突き当て状に組み込むことにより、一対の突片６ｃ、７ｃにより切断面が覆蓋される状態で支持されるように設定されている。
【００１１】
８は、支持柱６の下端を床面に固定支持するためのベース金具であって、該ベース金具８は、第一、第二パネル体３、４側縁部配設位置に対向して、予め床面に固定するように設定されている。前記ベース金具８は、床面に当接するベース部８ａを備えて構成されるが、支持柱６のビスポケット６ｄの対向間に相当する長さに設定されたベース長片８ｂと、支持柱６の長片６ｂの対向間隔に相当する長さに設定されたベース短片８ｃとにより矩形状に形成されている。そして、ベース部８ａの対向する一対のベース長片８ｂには、それぞれ上方に向けて突出する長片側支持片８ｄが一体形成され、対向する一対のベース短片８ｃ側の端縁部には、それぞれ上方に向けて突出する短片側支持片８ｅが一体形成されている。
さらに、ベース部８ａには、長手方向に二つの貫通孔８ｆが隣接して形成されており、ベース部８ａを床面に突き当て、これら貫通孔８ｆを介して螺子８ｇを用いて床面に螺着することにより、ベース金具８が床面に固定されるように設定されている。
そして、ベース金具８の長、短片側支持片８ｄ、８ｅに、支持柱６の下端部を外嵌させることにより、支持柱６の下端部が床面に対して位置決め状に固定されるように設定されている。そして、ベース金具８に支持柱６を外嵌させたとき、長片側支持片８ｄの外側面はそれぞれ支持柱６の一対の支持柱長片６ｂの内側面に近接対向（当接）し、短片側支持片８ｅの外側面はそれぞれ支持柱６のビスポケット６ｄの内側面に近接対向（当接）する状態で組み込まれるように設定されており、これによって、支持柱６は、各支持片８ｄ、８ｅに外嵌することで仮保持状に直立支持されるように設定されている。
【００１２】
一方、コーナー用支持柱７の下端を床面に固定支持するためのコーナー用ベース金具９は、ベース金具８とともに床面の予め設定される箇所に固定される部材であって、コーナー用支持柱７に内嵌する形状を有し、床面に当接されるベース部９ａは、貫通孔９ｂを介して螺子９ｃにより床面に螺着されるように構成されている。さらにベース部９ａは、コーナー用支持柱７の長片７ａおよびＲ状片７ｂの内側面に沿う支持片９ｄが複数形成されており、コーナー用支持柱７の下端部を外嵌させたとき、支持片９ｄが長片７ａ、Ｒ状片７ｂの内側面に近接対向（当接）する状態で組み込まれるように設定されており、これによって、コーナー用支持柱７は、各支持片９ｄによる直立支持を受けるように設定されている。
【００１３】
また、第一、第二パネル体３、４の上縁部は、笠木１０により嵌合支持されるように構成されており、これによって、第一、第二パネル体３、４上縁部の枠材が不要になるように構成されている。
前記笠木１０は、一対の側片１０ａと、これらの側片１０ａを連結する上片１０ｂとを備えて形成され、側片１０ａ同士のあいだに形成される下方が開口する嵌合凹部１０ｃにより、第一、第二パネル体３、４の上縁部を外嵌支持するように構成されている。さらに、笠木上片１０ｂは、上面に長手方向に長い四本の基準用溝部１０ｄが形成され、前記四本の基準用溝部１０ｄのうち側片１０ａ側に位置する二本の基準用溝部１０ｄに対向する下面には、各基準用溝部１０ｄを挟む位置関係でそれぞれ一対の下向きリブ１０ｅが形成されており、これら都合四本の下向きリブ１０ｅは、予め設定される長さで下方に向けて突出形成され、支持柱６に対する位置決め片となるように設定されている。また、各側片１０ａの対向面には、互いに近接する方向に突出する一対の内側リブ１０ｆが形成されており、これら内側リブ１０ｆは、下向きリブ１０ｅの下端に干渉することがないよう、これよりも下位に位置して形成されている。そして、これら内側リブ１０ｆの対向間隔は、支持柱６の長片６ｂの長さに設定されており、支持柱６に対して位置決めするように構成され、これによって、笠木１０は、支持柱６の上端に対して位置決め状に外嵌し、支持柱６、７に嵌合支持される第一、第二パネル体３、４の上縁部とともに支持柱６を嵌合支持するように構成されている。
そして、笠木１０は、連結金具１１を用いることにより、左右側壁１、前後側壁２との一体的な連結や、笠木８同士の一体的な連結がなされるとともに、支持柱６、コーナー用支持柱７との一体的な連結がなされるように設定され、これによって、支持柱６とコーナー用支持柱７とは、下端が床面に固定され、上端が笠木１０を介して左右、前後側壁１、２に一体的に連結固定されるように構成されている。
【００１４】
前記連結金具１１は、予め支持柱６、コーナー用支持柱７を組み込んだ状態において、各支持柱６、７の配設位置を基準としてこれらに位置合わせする状態で配設される設定となっている。
前記連結金具１１は、第一側片１１ａと第二側片１１ｂとによりＬ字形に形成されており、第一側片１１ａの板幅は、各支持柱長片６ｂ、７ａに形成される突片６ｃ、７ｃの対向間の長さ、即ち、第一、第二パネル体３、４のパネル厚に相当する長さに設定されており、第二側片１１ｂの板幅は、支持柱６に形成される一対のビスポケット６ｄの対向間隔よりも短い長さに設定されている。
【００１５】
つぎに、支持柱６の連結金具１１を介した躯体（前後側壁２、左右側壁１）への固定支持状態について、各固定支持箇所毎に説明する。
図５、６に、前後側壁２に固定される連結金具１１による連結状態を示す。この連結金具１１は、図２から明らかなように、Ｌ字形をし、垂直状の第一側片１１ａとその上端に形成される水平状の第二側片１１ｂとを備えて構成され、連結金具１１の第一側片１１ａを、支持柱６と前後側壁２とのあいだに形成される隙間に差し込み、支持柱６を右方に倒した状態で第一側片１１ａを前後側壁２に螺子１１ｃを用いて螺着する。このとき、連結金具１１は、第二側片１１ｂの下面と、支持柱６の上端面とのあいだに僅かな隙間が形成するように固定されており、これによって、連結金具１１を前後側壁２に螺着した後に、支持柱６を直立状に起立させることができるようにしている。
そして、支持柱６を第一側片１１ａに沿って直立させた状態において、笠木１０の左側端部を前後側壁２に突き当て、笠木嵌合凹部１０ｃを、第二側片１１ｂと支持柱６とを内嵌させる状態に組み込むが、笠木１０は、下向きリブ１０ｅと内側リブ１０ｆとを支持柱６に突き当て状に組み込むことにより、支持柱６に対して位置決め状に組み込まれるように構成されている。このとき、連結金具第二側片１１ｂは、上片１０ｂに形成された一対の下向きリブ１０ｅ同士のあいだに位置するように設定されている。さらに、この組込み状態において、連結金具１１の第一側片１１ａの下端縁は、笠木１０の下端縁と同レベル、あるいは、笠木１０の下端縁よりも上位となるように設定されている。
【００１６】
この組込み状態において、まず、笠木上片１０ｂに形成された四つの基準用溝部１０ｄのうち、側片１０ａ側に位置する一対の基準用溝部１０ｄを基準として、笠木１０の上方から、支持柱固定用螺子１１ｄを支持柱６のビスポケット６ｄに螺入することにより、笠木１０と支持柱６との一体的な連結がなされるように構成されている。
続いて、笠木上片１０ｂの側片１０ａ側の一対の基準用溝部１０ｄに挟まれる内側の基準用溝部１０ｄを基準として、笠木１０の上方から螺入させた笠木固定用螺子１１ｅを、連結金具第二側片１１ｂに刻設された螺子孔１１ｆに螺合することにより、連結金具１１と笠木１０との一体的な連結がなされるように構成されており、これによって、笠木１０は、前後側壁２の固定支持を受けるように構成され、もって、前後側壁２に固定された笠木１０に固定される左端側に位置する支持柱６が、前後側壁２による固定支持を受けることができるように設定されている。
このように、前後側壁２に固定される連結金具１１は笠木１０に連結され、さらに、笠木１０は支持柱６に対して連結される構成となっている。そして、躯体の寸法精度や、施工時における取り付け状態により、連結金具１１の取り付け位置（笠木１０の躯体への取り付け位置）を調整したいことがあり、その場合には、第一側片１１ａに形成された長孔１１ｇを介して位置調整することにより、笠木１０の躯体（前後側壁２）に対する取り付け位置を変えることにより対応できる。このとき、笠木１０は、支持柱６上端を外嵌状に支持する構成であるので、笠木１０の位置調整がなされたとしても、前記嵌合深さ以内の調整では支持柱６の上端と笠木１０のあいだに隙間ができるような不具合がなく調整できることになり、もって、躯体に対する支持柱６と笠木１０との微調整が容易にできるように構成されている。
【００１７】
ここで、笠木１０は、左右方向を向き、第一パネル体３の上縁部同士を連結するべく取り付けられる笠木１０と、前後方向を向き、第二パネル体４の上縁部を第一パネル体３に連結するべく取り付けられる笠木１０とがあり、本実施の形態では、左右方向のものは長尺状となるため、複数に分割したものを一体的に連結して用いている。前記笠木１０同士の連結は、図７（Ａ）、（Ｂ）、（Ｃ）に示すように、隣接する上片１０ｂ同士の下側面に、螺子孔１２ａが刻設されたスペーサ部材１２を突き当てるとともに、上片１０ｂ同士の上側面に補助プレート１２ｂを突き当て、笠木上片１０ｂの側片１０ａ側の一対の基準用溝部１０ｄに挟まれる内側の基準用溝部１０ｄを基準として、補助プレート１２ｂの上方から螺入させた笠木連結用螺子１２ｃをスペーサ部材螺子孔１２ａに螺合することで連結され、これによって、左右方向に長く連結された笠木１０は、左端側の連結金具１１を介して前後側壁２からの固定支持を受けるように構成されている。
【００１８】
また、左右側壁１に固定される連結金具１１を介して、左右側壁に沿い、右端に位置する支持柱６の上端と、第二パネル体４の上縁部を嵌合支持する前後方向を向く笠木１０の後側端部とは、それぞれ支持柱固定用螺子１１ｄ、笠木固定用螺子１１ｅを用いて連結され、これによって、支持柱６と、笠木１０とが、左右側壁１の固定支持を受けるように構成されることは、前後側壁２における連結金具１１による固定構成と同様である。
尚、左右側壁１に沿って配される他の支持柱６についても、笠木１０との連結において連結金具１１を介して連結することにより、支持柱６が左右側壁１の固定支持を受け、かつ、支持柱６と笠木１０との組み付け状態を微調整しながらの固定ができるように構成できる。
【００１９】
つぎに、左右方向を向く笠木１０の右端部位と、左右側壁１による固定支持をうける前後方向を向く笠木１０の前側端部と、コーナー用支持柱７との連結を、図７（Ｄ）に示す。この場合では、連結金具１１の第二側片１１ｂの下端面とコーナー用支持柱７の上端とのあいだに小さな隙間を存する位置関係とした状態で、コーナー用支持柱７の長片７ａに第一側片１１ａを突き当てて螺子１１ｃを用いて固定し、笠木１０を嵌合凹部１０ｃが第二側片１１ｂを内嵌するように組み込む。そして、笠木上片１０ｂの内側に位置する一対の基準用溝部１０ｄを基準として、笠木１０の上方から螺入させた笠木固定用螺子１１ｅを、連結金具第二側片１１ｂの螺子孔１１ｆに螺合することにより、連結金具１１と笠木１０との一体的な連結がなされ、これによって、コーナー用支持柱７が、笠木１０を介して前後側壁２、左右側壁１による固定支持を受けるように構成されている。
【００２０】
さらに、左側端部が前後側壁の固定支持を受ける左右方向を向く笠木１０と、左右方向中間部に位置し、第一パネル体３の側縁部を嵌合支持するべく配設される支持柱６との連結は、笠木１０を、嵌合凹部１０ｃが第一パネル体３の上縁部を嵌合支持する状態に組み込み、笠木上片１０ｂの外側に位置する一対の基準用溝部１０ｄを基準として、笠木１０の上方から螺入させた支持柱固定用螺子１０ｇを、支持柱６のビスポケット６ｄに螺合することにより一体的な連結がなされるように構成され、これによって、第一パネル体３の側縁部を嵌合支持する全ての支持柱６が、笠木１０を介して前後側壁２による固定支持を受けるように構成されている。
【００２１】
そして、第二パネル体４の前側縁部は、前後側壁２の固定支持を受ける支持柱６間に配された第一パネル体３の後方に配された支持柱６に嵌合支持されるが、該第一パネル体３後方に配される支持柱６は、図８に示すように、連結金具１１を介して第一、第二パネル体３、４の上縁部を嵌合支持する左右方向を向く笠木１０と前後方向を向く笠木１０との両者に連結され、これによって、前後側壁２、左右側壁１との固定支持を受けることができるように構成されている。尚、６ｅは、第一パネル体３のパネル面と、該パネル面に対向する支持柱６の長片６ｂとのあいだに配されるスペーサ部材である。
つまり、前記第二パネル体４用の支持柱６の前方に、連結金具１１の第一側片１１ａを挿し込み、先行して固定された左右方向を向く笠木１０の後側の側片１０ａに固定し、連結金具１１の第二側片１１ｂに前後方向を向く笠木１０を外嵌せしめた状態で、支持柱固定用螺子１１ｄを支持柱６のビスポケット６ｄに螺合し、笠木固定用螺子１１ｅを第二側片螺子孔１１ｆに螺合することにより、支持柱６、左右方向を向く笠木１０、前後方向を向く笠木１０との一体的な連結がなされるように設定されている。
【００２２】
尚、第一、第二パネル体３、４の下縁部は、本実施の形態では、ペーパーコア材３ｂ、４ｂが露出する切断面となっており、このため、図１、２に示すように、各パネル体４、５が配設される隣接する支持柱６、７のあいだに、支持金具１３を介して下枠材１４が固定され、下枠材１４に形成された上方が開口する凹部１４ａにより各パネル体３、４の下縁部を嵌合支持する構成となっている。これによって、本実施の形態の第一、第二パネル体３、４は、四周の枠材が全て排除されて軽量化されたものとなっているものでありながら、切放し状態の切断面を、支持柱６、７、笠木１０、下枠材１４により嵌合することによりペーパーコア材３ｂ、４ｂが露出することがなく、意匠性、機能性に劣ることがないように構成されている。
因みに、本実施の形態では、下枠材１４の下方に空間が形成されるが、該空間に幅木を組み込む構成としてもよく、この場合では、幅木を支持柱に嵌合支持させ、該幅木の上部に下枠材を組み込んだ後、パネル体をスライドさせて組み込むように構成することができる。そして、このものでも、パネル体の下縁部を下枠材により嵌合支持する構成とすることができ、パネル体を切放し状態のままとすることができる。
【００２３】
つぎに、トイレブースＢの設置手順の一例を簡単に説明する。まず、床面にベース金具８、９、支持柱６、７を組み込み、側壁１、２、コーナー用支持柱７に連結金具１１を固定する。続いて、第一パネル体３、および、右端側の第二パネル体４が組み込まれる部位の支持柱６、７のあいだに下枠材１４を組み込み、前記所定の第一、第二パネル体３、４を上方から落とし込むようにスライド嵌合させて、複数のトイレブースＢの外郭となるパネル体３、４を組み込む。
このとき、第一パネル体３は、隣接する第一パネル体３とのあいだにドア体５を組み込むためのスペースを確保するため、隣接対向する一対の支持柱６同士のあいだには、第一パネル体３が組み込まれないように設定されている。
続いて、前記外郭を構成する第一、第二パネル体３、４の上縁部に、左右方向を向く笠木１０と、右端側に位置する前後方向を向く笠木１０とを連結金具１１を介して固定する。
つぎに、第一パネル体３を固定支持する左右方向を向く笠木１０後側面の適箇所に連結金具１１の第一側片１１ａを螺子１１ｃを用いて固定し、前後の支持柱６のあいだに下枠材１４を組み込んだ状態で第二パネル体４を組み込んで複数の区画に仕切り、その後、笠木１０側に配した連結部材１１と左右側壁１側に設けた連結部材１１の第二側片１１ｂとのあいだに、笠木１０を外嵌させ、支持柱６と笠木１０とを連結金具１１を介して固定する。尚、１０ｈは、第一パネル体３のあいだのスペースの上方に形成される凹部１０ｃを覆蓋するカバーである。
【００２４】
ここで、前述したように、第一パネル体３同士のあいだには、ドア体５配設用のスペースが形成されており、該スペースには、支持柱６の長片６ｂ、即ち、支持柱６の第一パネル体３が内嵌する長片６ｂとは反対側の長片６ｂが対向しており、該長辺６ｂに形成された突片６ｃは、エッジ部材支持部として兼用することができるように構成されている。そして、前記突片６ｃに、配置箇所に応じたエッジ部材（戸尻対向側エッジ部材、戸先対向側エッジ部材）１５、１６の何れかを選択して抜け止め状に嵌着することができるように構成されている。そして、ドア体５の一側部を前記各スペースを構成する一方の支持柱６と笠木１０とのあいだにそれぞれ枢支することにより複数のトイレブースＢが構成される。
尚、支持柱６は、対向する長片６ｂに、パネル体支持部とエッジ部材支持部とを兼用することができる突片６ｃを形成することにより、第一、第二パネル体３、4の側縁部を支持する支持柱６を全て共通化できるようにしている。
【００２５】
叙述の如く構成された本形態において、広い空間を第一パネル体３と第二パネル体４とにより仕切ることで、ドア体５により開閉自在な複数のトイレブースＢが構成されるが、この場合に、第一、第二パネル体３、４は、左右または前後の側縁部を、下端が床面に立設された支持柱６、７に嵌合支持される構成とし、該支持柱６、７の上端部は、左右側壁１、前後側壁２である躯体側に固定支持される笠木１０に固定する構成となっている。この結果、設置現場においてパネル体を一枚づつ個別に立設するのではなく、適宜支持柱６、７を立設したものに対してパネル体３、４を組み込むようにすることができて、作業性が向上し、コストダウンを図ることができる。
しかも、従来のもののように、枠材を枠組みしたパネル体を用意し、枠材に予め配設箇所に対応するエッジ部材を組み込んだものを設置現場に持ち込んで組み立てるのではなく、支持柱６、７とパネル体３、４、エッジ部材１５、１６等必要な部品を分解した状態で現場に搬送して組み込むことができるので、在庫管理が容易になるうえ、搬送作業が容易になる。しかも、支持柱６、７とパネル体３、４とを現場で切断して組み込むようにすれば、一層精度よく組み付けることができるうえ、現場での設計変更にも容易に応じることが可能となり、一層のコストダウンが期待できる。
【００２６】
さらに、支持柱６、７は筒形状であり、予め床面に固定されるベース金具８、９に外嵌することで立設する構成としたので、構造が簡略でありながら、支持柱６、７を仮保持状に立設させることが可能なものとなっている。さらに、支持柱６は、互いに対向する面にパネル体支持部とエッジ部材支持部との何れにも機能する突片６ｃを形成する構成としたので、これら突片６ｃに、配設箇所に応じたパネル体３、４またはエッジ部材１５、１６を適宜組み込むことができて、コーナー用支持柱７配設箇所以外の支持柱６を、全て共通化することができ、構造の簡略化を図れるとともに、現場での作業性の向上を図れる。
【００２７】
そのうえ、このものでは、連結金具１１を介して笠木１０を躯体に固定し、該躯体に固定された笠木１０により支持柱６、７が固定されるが、笠木１０は支持柱６の上縁部を嵌合支持する構成としたので、連結金具１１の取り付け位置を調整して笠木１０の位置調整をしたとしても、支持柱６と笠木１０とのあいだに隙間が形成されるような不具合がなく、支持柱６と笠木１０との躯体に対する微調整が容易になる。
【００２８】
さらに、各パネル体３、４は、側縁部は支持柱６により外嵌状に嵌合支持され、上縁部は笠木１０により外嵌状に嵌合支持され、下縁部は下枠材１４により外嵌状に嵌合支持される構成としたので、各パネル体３、４の四周の枠材が全て不要となって一層の軽量化が図れて、作業性が向上するうえ、コスト低下に寄与できる。
【図面の簡単な説明】
【００２９】
【図１】大空間に形成された複数のトイレブースの一部を切り欠いた斜視図である。
【図２】トイレブースの構成部材の一部を説明する分解斜視図である。
【図３】トイレブースの横断面図である。
【図４】図３におけるＸ−Ｘ断面図である。
【図５】図５（Ａ）、（Ｂ）はそれぞれ第一パネル体の取り付け状態を説明する平面図、横断面図である。
【図６】図６（Ａ）、（Ｂ）はそれぞれ第一パネル体の取り付け状態を説明する正面図、図６（Ａ）におけるＸ−Ｘ断面図である。
【図７】図７（Ａ）、（Ｂ）、（Ｃ）はそれぞれ笠木の連結状態を説明する平面図、図７（Ａ）におけるＸ−Ｘ断面図、正面図、図７（Ｄ）はコーナー部における連結状態を説明する平面図である。
【図８】図８（Ａ）、（Ｂ）、（Ｃ）はそれぞれ第一パネル体と第二パネル体との連結部を説明する平面図、図８（Ａ）におけるＸ−Ｘ断面図、図８（Ｂ）におけるＹ−Ｙ断面図である。
【符号の説明】
【００３０】
１    左右側壁
２    前後側壁
３    第一パネル体
４    第二パネル体
６    支持柱
７    コーナー用支持柱
８    ベース金具
９    コーナー用ベース金具
１０    笠木
１１    連結金具
１４    下枠材
【図１】
0005341304.tif 000002
【図２】
0005341304.tif 000003
【図３】
0005341304.tif 000004
【図４】
0005341304.tif 000005
【図５】
0005341304.tif 000006
【図６】
0005341304.tif 000007
【図７】
0005341304.tif 000008
【図８】
0005341304.tif 000009